(57)【要約】【課題】  携帯用灰皿、アクセサリー等の趣味の小物を入れるのにも相応しい外観を呈し、外装体を回動すると、容体の小蓋が自動的に開閉し、机上等に置く場合、閉蓋状態時と開蓋状態時とで、接地底面が変わる意外性のある小型容器を提供する。【解決手段】  略半球状の容体ａに対し、外装体ｅを前後方向に回動自在に嵌合し、容体ａは、その開口２の後縁に自動開蓋するように付勢した小蓋ｂを蝶着し、底床部１内にロック用板片ｃを出入自在に挿入し、外装体ｅは、前側回動位置のとき、小蓋ｂを付勢に抗して開口２を閉じ、引き出されたロック用板片ｃに係合して、前側回動位置にロックされ、また、外装体ｅは、ロック用板片ｃを押し入れたときロックが解除されて、後側回動位置に回動することができ、その回動にともなって、上記小蓋ｂを上記付勢により自動開蓋させ、外装体ｅの外面の突起２５を容体ａの底床部１の前側下端と同一面内に位置させる。【選択図】  図６
0003103424.tif 000002
【実用新案登録請求の範囲】
【請求項１】
（イ）  下面を平坦とした底床部（１）を有する略半球状の容体（ａ）と、この容体（ａ）に対し前後方向に回動自在に嵌合した、ヘルメット状で外面に突起（２５）を有する外装体（ｅ）とからなり、
（ロ）  上記容体（ａ）は、その上周面前側壁（３）に開口（２）を形成するとともに、その開口（２）の後縁に、自動開蓋するように付勢した小蓋（ｂ）を蝶着し、上記底床部（１）内に、出入自在に挿入したロック用板片（ｃ）が、その後端の摘部（９）を、該容体（ａ）の上周面後側壁（１０）の下方にしてかつ上記底床部（１）の後方に形成した空処（１１）に配置し、
（ハ）  上記外装体（ｅ）は、前側回動位置にあるとき、上記小蓋（ｂ）を上記付勢に抗して閉じるとともに、後方に引き出された上記ロック用板片（ｃ）の摘部（９）に、該外装体（ｅ）の後端縁部（ｅ′）を係合させることにより、上記前側回動位置にロックされ、
（ニ）  また、上記外装体（ｅ）は、上記ロック用板片（ｃ）を前方に押し入れたとき上記ロックが解除され、上記前側回動位置から後側回動位置に回動することができ、その回動にともなって、上記小蓋（ｂ）を上記付勢により自動開蓋させ、かつ、上記突起（２５）を上記容体（ａ）の底床部（１）の前側下端と同一面内に位置させるようにしてなることを特徴とする携帯用灰皿、小物入れ等の小型容器。
【請求項２】
（イ）  下面を平坦とした底床部（１）を有する略半球状の容体（ａ）と、この容体（ａ）に対し前後方向に回動自在に嵌合した、ヘルメット状で外面に突起（２５）を有する外装体（ｅ）と、該容体（ａ）の下周面前側壁（１５）の外面にそれを覆うように取り付けた飾り板部材（ｄ）とからなり、
（ロ）  上記容体（ａ）は、その上周面前側壁（３）に開口（２）を形成するとともに、その開口（２）の後縁に、自動開蓋するように付勢した小蓋（ｂ）を蝶着し、上記底床部（１）内に、出入自在に挿入したロック用板片（ｃ）が、その後端の摘部（９）を、該容体ａの上周面後側壁（１０）の下方にしてかつ上記底床部（１）の後方に形成した空処（１１）に配置し、
（ハ）  上記外装体（ｅ）は、前側回動位置にあるとき、上記小蓋（ｂ）を上記付勢に抗して閉じるとともに、後方に引き出された上記ロック用板片（ｃ）の摘部（９）に、該外装体（ｅ）の後端縁部（ｅ′）を係合させることにより、上記前側回動位置にロックされ、
（ニ）  また、上記外装体（ｅ）は、上記ロック用板片（ｃ）を前方に押し入れたとき上記ロックが解除され、上記前側回動位置から後側回動位置に回動することができ、その回動にともなって、上記小蓋（ｂ）を上記付勢により自動開蓋させ、かつ、上記突起（２５）を上記飾り板部材（ｄ）の下端と同一面内に位置させるようにしてなることを特徴とする携帯用灰皿、小物入れ等の小型容器。
【請求項３】
上記外装体（ｅ）が、その外面前側の中央の鼻筋模様（２２）、その上方延長線上の角状模様（２３，２３）、左右両側の眼模様（２４，２４）等により所望のキャラクター等の顔面模様を立体的に形成していることを特徴とする請求項１または２記載の携帯用灰皿、小物入れ等の小型容器。
【請求項４】
上記外装体（ｅ）が、その外面前側の中央の鼻筋模様（２２）、その上方延長線上の角状模様（２３，２３）、左右両側の眼模様（２４，２４）等と、上記飾り板部材（ｄ）が、その外面に形成した口顎模様（１８）とで、所望のキャラクター等の顔面模様を立体的に形成していることを特徴とする請求項２または３記載の携帯用灰皿、小物入れ等の小型容器。
【請求項５】
上記外装体（ｅ）の内面に軸受凹処（２０）と小凹処（２１）を形成し、上記容体（ａ）の外面に軸（１２）とクリック用小ボス（１３）を形成し、外装体（ｅ）は容体（ａ）に対し、これら軸受凹処（２０）および小凹処（２１）と軸（１２）およびクリック用小ボス（１３）との係合により、回動自在に嵌合していることを特徴とする請求項１，２，３または４記載の携帯用灰皿、小物入れ等の小型容器。
【請求項６】
上記容体（ａ）の下周面前側壁（１５）の外面に小孔（１４）を形成し、飾り板部材（ｄ）の内面に小突起（１７）を形成し、飾り板部材（ｄ）は容体（ａ）に対し、これら小孔（１４）と小突起（１７）との係合により取り付けられていることを特徴とする請求項２，３，４または５記載の携帯用灰皿、小物入れ等の小型容器。
【請求項７】
上記容体（ａ）が、その開口（２）の前側縁中央に該開口（２）に連続形成した上向き半円状の切欠部（４）を形成し、上記小蓋（ｂ）が、その開口（２）および切欠部（４）の全体と同形同大であることを特徴とする請求項１，２，３，４，５または６記載の携帯用灰皿、小物入れ等の小型容器。
【請求項８】
上記容体（ａ）が、その内部に筒（１６）を収容していることを特徴とする請求項１，２，３，４，５，６または７記載の携帯用灰皿、小物入れ等の小型容器。
【請求項９】
上記ロック用板片（ｃ）が、上記底床部（１）内に形成され後方を開口する扁平空処（６）に出入自在に挿入され、それの長溝（７）を上記扁平空処（６）に縦設したガイドピン（８）に嵌合していることを特徴とする請求項１，２，３，４，５，６，７または８記載の携帯用灰皿、小物入れ等の小型容器。
【考案の詳細な説明】
【技術分野】
【０００１】
本考案は、携帯用灰皿、小物入れ等の小型容器の改良に関するものである。
【背景技術】
【０００２】
携帯用灰皿として、中蓋体上に外蓋体を摺接回動自在に設けたものが、例えば、特許文献１（実開平７−３９４９５号公報）に記載されていて、既に公知である。  この種の携帯用灰皿は、灰皿としの構成ないしは機能においては、格別問題とするところはないと認められるが、その外観が方形や円形等の単純な扁平体をなす平凡なものであり、灰皿の使用のほかに、例えばアクセサリー等の趣味の小物を入れて携行するのには不向きである。
【特許文献１】実開平７−３９４９５号公報
【考案の開示】
【考案が解決しようとする課題】
【０００３】
そこで本考案は、携帯用灰皿として使用できるのはもちろん、アクセサリー等の趣味の小物を入れて携行するのにも相応しい外観を呈し、さらに、容体に対し外装体を回動するのにともない容体の小蓋が自動的に開閉するようにするとともに、机上や棚板上等に置く場合、閉蓋状態時と開蓋状態時とでその接地底面が変わるようにして、意外性を付与し、インテリア製品としても利用できる付加価値の高い携帯用灰皿、小物入れ等の小型容器を提供しようとするものである。
【課題を解決するための手段】
【０００４】
請求項１記載の本考案携帯用灰皿、小物入れ等の小型容器は、（イ）下面を平坦とした底床部１を有する略半球状の容体ａと、この容体ａに対し前後方向に回動自在に嵌合した、ヘルメット状で外面に突起２５を有する外装体ｅとからなり、（ロ）上記容体ａは、その上周面前側壁３に開口２を形成するとともに、その開口２の後縁に、自動開蓋するように付勢した小蓋ｂを蝶着し、上記底床部１内に、出入自在に挿入したロック用板片ｃが、その後端の摘部９を、該容体ａの上周面後側壁１０の下方にしてかつ上記底床部１の後方に形成した空処１１に配置し、（ハ）上記外装体ｅは、前側回動位置にあるとき、上記小蓋ｂを上記付勢に抗して閉じるとともに、後方に引き出された上記ロック用板片ｃの摘部９に、該外装体ｅの後端縁部ｅ′を係合させることにより、上記前側回動位置にロックされ、（ニ）また、上記外装体ｅは、上記ロック用板片ｃを前方に押し入れたとき上記ロックが解除され、上記前側回動位置から後側回動位置に回動することができ、その回動にともなって、上記小蓋ｂを上記付勢により自動開蓋させ、かつ、上記突起２５を上記容体ａの底床部１の前側下端と同一面内に位置させるようにしてなる。
【０００５】
請求項２記載の本考案携帯用灰皿、小物入れ等の小型容器は、（イ）下面を平坦とした底床部１を有する略半球状の容体ａと、この容体ａに対し前後方向に回動自在に嵌合した、ヘルメット状で外面に突起２５を有する外装体ｅと、該容体ａの下周面前側壁１５の外面にそれを覆うように取り付けた飾り板部材ｄとからなり、（ロ）上記容体ａは、その上周面前側壁３に開口２を形成するとともに、その開口２の後縁に、自動開蓋するように付勢した小蓋ｂを蝶着し、上記底床部１内に、出入自在に挿入したロック用板片ｃが、その後端の摘部９を、該容体ａの上周面後側壁１０の下方にしてかつ上記底床部１の後方に形成した空処１１に配置し、（ハ）上記外装体ｅは、前側回動位置にあるとき、上記小蓋ｂを上記付勢に抗して閉じるとともに、後方に引き出された上記ロック用板片ｃの摘部９に、該外装体ｅの後端縁部ｅ′を係合させることにより、上記前側回動位置にロックされ、（ニ）また、上記外装体ｅは、上記ロック用板片ｃを前方に押し入れたとき上記ロックが解除され、上記前側回動位置から後側回動位置に回動することができ、その回動にともなって、上記小蓋ｂを上記付勢により自動開蓋させ、かつ、上記突起２５を上記飾り板部材ｄの下端と同一面内に位置させるようにしてなる。
【０００６】
請求項３記載の本考案は、上記外装体ｅが、その外面前側の中央の鼻筋模様２２、その上方延長線上の角状模様２３，２３、左右両側の眼模様２４，２４等により所望のキャラクター等の顔面模様を立体的に形成している請求項１または２記載の携帯用灰皿、小物入れ等の小型容器である。
【０００７】
請求項４記載の本考案は、上記外装体ｅが、その外面前側の中央の鼻筋模様２２、その上方延長線上の角状模様２３，２３、左右両側の眼模様２４，２４等と、上記飾り板部材ｄが、その外面に形成した口顎模様１８とで、所望のキャラクター等の顔面模様を立体的に形成している請求項２または３記載の携帯用灰皿、小物入れ等の小型容器である。
【０００８】
請求項５記載の本考案は、上記外装体ｅの内面に軸受凹処２０と小凹処２１を形成し、上記容体ａの外面に軸１２とクリック用小ボス１３を形成し、外装体ｅは容体ａに対し、これら軸受凹処２０および小凹処２１と軸１２およびクリック用小ボス１３との係合により、回動自在に嵌合している請求項１，２，３または４記載の携帯用灰皿、小物入れ等の小型容器である。
【０００９】
請求項６記載の本考案は、上記容体ａの下周面前側壁１５の外面に小孔１４を形成し、飾り板部材ｄの内面に小突起１７を形成し、飾り板部材ｄは容体ａに対し、これら小孔１４と小突起１７との係合により取り付けられている請求項２，３，４または５記載の携帯用灰皿、小物入れ等の小型容器。
【００１０】
請求項７記載の本考案は、 上記容体ａが、その開口２の前側縁中央に該開口２に連続形成した上向き半円状の切欠部４を形成し、上記小蓋ｂが、その開口２および切欠部４の全体と同形同大である請求項１，２，３，４，５または６記載の携帯用灰皿、小物入れ等の小型容器である。
【００１１】
請求項８記載の本考案は、上記容体ａが、その内部に筒１６を収容している請求項１，２，３，４，５，６または７記載の携帯用灰皿、小物入れ等の小型容器である。
【００１２】
請求項９記載の本考案は、上記ロック用板片ｃが、上記底床部１内に形成され後方を開口する扁平空処６に出入自在に挿入され、それの長溝７を上記扁平空処６に縦設したガイドピン８に嵌合している請求項１，２，３，４，５，６，７または８記載の携帯用灰皿、小物入れ等の小型容器である。
【考案の効果】
【００１３】
外装体ｅが、前側回動位置にある場合、小蓋ｂをその付勢に抗して閉じ、かつ、ロック用板片ｃが後方に引き出され、その摘部９を空処１１から突出させているときには、外装体ｅの後端縁部ｅ′を、その摘部９に係合させ、外装体ｅは、上記前側回動位置にロックされた状態となり、本考案小型容器は、容体ａの底床部１の平坦な下面と摘部９の下端を接地状態にして机上や棚板上に置くことができる（図１〜３）。
【００１４】
また、上記と反対に、ロック用板片ｃを前方に押し入れ、その摘部９を空処１１内に位置させると、上記ロックが解除され、外装体ｅを上記前側回動位置から後側回動位置に回動することができ、そのとき、外装体ｅが、上記小蓋ｂがその付勢により開蓋するのを許容するとともに、前記開口２を開放し、本考案小型容器は、飾り板部材ｄの中央下端または／および容体ａの底床部１の前側下端と、外装体ｅの孔明き突起２５とを接地状態にして机上や棚板上に置くことができる（図６，７）。
【００１５】
すなわち、本考案小型容器は、外装体ｅを前側回動位置から後側回動位置に回動することにより、小蓋ｂが自動的に開いて、開口２を開放することにより、当該物品の出し入れを行うことができ、そのまま、開口状態にしておくことができる。
【００１６】
また、外装体ｅを後側回動位置から前側回動位置に回動することにより、小蓋ｂを付勢に抗し自動的に閉じるとともに、全体を閉成状態にし、これによって、外装体ｅの外面前側の鼻筋模様２２、角状模様２３，２３および眼模様２４，２４等と上記飾り板部材ｄの口顎模様１８とで、所望のキャラクター等の顔面模様を構成する外観を呈するものにできる。
【００１７】
したがって、携帯用灰皿として使用できるのはもちろん、アクセサリー等の趣味の小物を入れて携行するのにも相応しい外観を呈し、さらに、容体に対し外装体を回動するのにともない容体の小蓋が自動的に開閉するとともに、机上や棚板上等に置く場合、閉蓋状態時と開蓋状態時とでその接地底面が変わるようにして、意外性を付与し、インテリア製品としても利用できる付加価値の高い携帯用灰皿、小物入れ等の小型容器である。
【考案を実施するための最良の形態】
【００１８】
（イ）下面を平坦とした底床部１を有する略半球状の容体ａと、この容体ａに対し前後方向に回動自在に嵌合した、ヘルメット状で外面に突起２５を有する外装体ｅとからなり、（ロ）上記容体ａは、その上周面前側壁３に開口２を形成するとともに、その開口２の後縁に、自動開蓋するように付勢した小蓋ｂを蝶着し、上記底床部１内に、出入自在に挿入したロック用板片ｃが、その後端の摘部９を、該容体ａの上周面後側壁１０の下方にしてかつ上記底床部１の後方に形成した空処１１に配置し、（ハ）上記外装体ｅは、前側回動位置にあるとき、上記小蓋ｂを上記付勢に抗して閉じるとともに、後方に引き出された上記ロック用板片ｃの摘部９に、該外装体ｅの後端縁部ｅ′を係合させることにより、上記前側回動位置にロックされ、（ニ）また、上記外装体ｅは、上記ロック用板片ｃを前方に押し入れたとき上記ロックが解除され、上記前側回動位置から後側回動位置に回動することができ、その回動にともなって、上記小蓋ｂを上記付勢により自動開蓋させ、かつ、上記突起２５を上記容体ａの底床部１の前側下端と同一面内に位置させるようにする。
【実施例】
【００１９】
ａは下面を平坦とした底床部１を除く全体を略半球状に形成した合成樹脂製の容体である。
２は、その容体ａの上周面前側壁３に開設した左右に横長の略楕円形状の開口、４は、その開口２の前側縁中央に該開口２に連続形成した上向き半円状の切欠部である。
【００２０】
ｂは上記開口２の後側縁に開閉自在に蝶着した合成樹脂製の小蓋で、それは、その開口２および切欠部４の全体と同形同大で、ばね５により自動的に開蓋するように付勢され、その付勢に抗して伏倒することにより、上記開口２と切欠部４を同時に気密に閉塞することができる。
【００２１】
ｃは、上記底床部１内に形成され後方を開口する扁平空処６に出入自在に挿入した合成樹脂製のロック用板片で、それの長溝７を上記扁平空処６に縦設したガイドピン８に嵌合するとともに、後端に延出形成した摘部９を、容体ａの上周面後側壁１０の下方にしてかつ上記底床部１の後方に区画形成した空処１１に配置させている。
【００２２】
上記において、ロック用板片ｃの上記摘部９の下端面は、上記底床部１の下面と面一になるように設計され、したがって、容体ａは、これら底床部１の下面と摘部９の下端面とで、机上面に安定した状態で置くことができる。
【００２３】
１２は容体ａの上周面左右側壁それぞれの中央に突出形成した軸（一方のみ図示）、１３は、その各軸１２の外周至近位置に複数個形成したクリック用小ボス、１４は、上記切欠部４を含む開口２の下側壁、すなわち、容体ａの下周面前側壁１５の中央部分に１個または２個設けた小孔、１６は、容体ａの内部前側に固定設置した火消し用の筒である。
【００２４】
ｄは、容体ａの上記下周面前側壁１５の外面に一致嵌合する所要の湾曲内面を有する合成樹脂製の飾り板部材で、その内面に１個または２個の小突起１７を突設し、この小突起１７を上記小孔１４に係入固定することにより、容体ａの下周面前側壁１５の外面にそれを覆うように取り付けられる。
なお、この飾り板部材ｄの外面には、後記する外装体の擬人顔面模様と適合する口顎模様１８を立体的に形成している。
【００２５】
ｅは一側を開口１９としたヘルメット状で合成樹脂製の外装体で、その内面左右側壁それぞれの中央に軸受凹処２０を、その外周至近位置に複数個の小凹処２１を形成している。
また、外面前側には、その中央に鼻筋模様２２、その上方延長線上に角状模様２３，２３、左右両側に眼模様２４，２４等を立体的に形成し、これらと上記飾り板部材ｄの口顎模様１８とで、所望のキャラクター等の顔面模様を構成できるようにし、また、外面後側には、その中央に孔明き突起２５を形成している。
【００２６】
この外装体ｅは、上記軸受凹処２０と小凹処２１を上記軸１２およびクリック用小ボス１３と係合した状態で、上記容体ａの外側に、前後方向に回動自在に嵌合している。
【００２７】
そして、外装体ｅが、前側回動位置にある場合、上記小蓋ｂをばね５に抗して閉じ、かつ、開口１９の前側辺縁１９′を上記飾り板部材ｄの上側辺縁ｄ′に一致させ、さらに、この場合、上記ロック用板片ｃが後方に引き出され、その摘部９を上記空処１１から突出させているときには、開口１９の後側辺縁１９″の後端、すなわち外装体ｅの後端縁部ｅ′を、その摘部９の上端に係合させ、外装体ｅは、上記前側回動位置にロックされた状態となり、本考案小型容器は、容体ａの底床部１の平坦な下面と摘部９の下端を接地状態にして机上や棚板上に置くことができる（図１〜３）ように、関係各部が設計されている。
【００２８】
また、上記と反対に、ロック用板片ｃを前方に押し入れ、その摘部９を上記空処１１内に位置させると、上記ロックが解除され、外装体ｅを上記前側回動位置から後側回動位置に回動することができ、そのとき、外装体ｅが、上記小蓋ｂがばね５により開蓋するのを許容するとともに、前記開口２および切欠部４を開放し、本考案小型容器は、飾り板部材ｄの中央下端または／および容体ａの底床部１の前側下端と、外装体ｅの外面後側の上記孔明き突起２５とを接地状態にして机上や棚板上に置くことができる（図６，７）ように、関係各部が設計されている。
【００２９】
図４は、ロック用板片ｃを解除位置にし、容体ａに対し外装体ｅを回動し始めた状態を示し、図５は、その容体ａの小蓋ｂが開き始めたところまで外装体ｅを回動した状態を示している。
【００３０】
すなわち、本考案小型容器は、外装体ｅを前側回動位置から後側回動位置に回動することにより、小蓋ｂが自動的に開いて、開口２および切欠部４を開放することにより、当該物品の出し入れを行うことができ、そのまま、開口状態にしておくことができる。
【００３１】
また、外装体ｅを後側回動位置から前側回動位置に回動することにより、小蓋ｂをばね５に抗し自動的に閉じるとともに、全体を閉成状態にし、これによって、上記のように、外装体ｅの外面前側の鼻筋模様２２、角状模様２３，２３および眼模様２４，２４等と上記飾り板部材ｄの口顎模様１８とで、所望のキャラクター等の顔面模様を構成する外観を呈するものにできる。
【００３２】
なお、図６，７の符号２６は、切欠部４に挟入支持したたばこである。喫煙中のたばこの火を消すには、開口２を通じて、火消し用の筒１６に着火部分を差し込めばよい。
また、本考案小型容器を携行するには、孔明き突起２５に所望のストラップ（図示していない）を取り付けておくと便利である。
【産業上の利用可能性】
【００３３】
携帯用灰皿に限らず、各種の小物入れに応用できるのはもちろん、インテリア製品としても利用できる。
【図面の簡単な説明】
【００３４】
【図１】本考案の実施例に係る小型容器の正面図である。
【図２】同上の側面図である。
【図３】同上の縦断側面図である。
【図４】同じく同上の縦断側面図で、ロック用板を解除位置にし、容体に対し外装体を回動し始めた状態示す。
【図５】上記容体の小蓋が開き始めたところまで外装体を回動した状態の縦断側面図である。
【図６】上記容体の小蓋が全開するまで外装体を回動した状態の縦断側面図である。
【図７】上記容体の小蓋が全開するまで外装体を回動した状態の側面図である。
【図８】上記小型容器を構成する飾り片、容体および外装体の各々の縦断面図である。
【符号の説明】
【００３５】
ａ      容体
ｂ      小蓋
ｃ      ロック用板片
ｄ      飾り板部材
ｅ      外装体
ｅ′    後端縁部
１      底床部
２      開口
３      上周面前側壁
４      切欠部
５      ばね
６      扁平空処
７      長溝
８      ガイドピン
９      摘部
１０    上周面後側壁
１１    空処
１２    軸
１３    クリック用小ボス
１４    小孔
１５    下周面前側壁
１６    筒
１７    小突起
１８    口顎模様
１９    開口
２０    軸受凹処
２１    小凹処
２２    鼻筋模様
２３    角状模様
２４    眼模様
２５    突起
【図１】
0003103424.tif 000003
【図２】
0003103424.tif 000004
【図３】
0003103424.tif 000005
【図４】
0003103424.tif 000006
【図５】
0003103424.tif 000007
【図６】
0003103424.tif 000008
【図７】
0003103424.tif 000009
【図８】
0003103424.tif 000010